(57)【要約】【課題】従来のカメラは、取り付け部材とカメラ本体との間にボールジョイントなどの締め付け機構が必要であり、小型することは困難であった。またカメラの角度調整は、回転方向の角度調整も必要であり、ファインダーなどの撮影確認手段なく角度調整することが困難であった。【解決手段】被写体に撮影する略球形のカメラ部と、カメラ部を取り付ける本体と、本体の裏側に配置され穴部が設けられた固定板とを有し、カメラ部の表面に溝部を設け、溝部に固定板に設けた突起部を嵌合させてなる回転体カメラであり、角度調整の締め付け機構が不要になり、上下、左右の移動のみに限定できるために、小型化、角度調整作業の時間短縮ができ、住宅内外に固定し撮影するカメラ角度調整機構として実用的にきわめて有用である。【選択図】図１
2005217717.tif 000002
【特許請求の範囲】
【請求項１】
被写体を撮影する略球形のカメラ部と、前記カメラ部を取り付ける本体と、前記本体の裏側に配置され穴部が設けられた固定板とを有し、前記カメラ部の表面に溝部を設け、前記溝部に前記固定板に設けた突起部を嵌合させてなる回転体カメラ。
【請求項２】
突起部は固定板の穴部の縁部に設けられた請求項１記載の回転体カメラ。
【請求項３】
溝部が小判型または長方形形状である請求項１または２記載の回転体カメラ。
【請求項４】
回転体固定板はポリアセタール樹脂製である請求項１記載の回転体カメラ。
【発明の詳細な説明】
【技術分野】
【０００１】
本発明は、セキュリティカメラのように住宅内外に固定し撮影するカメラに関するものである。
【背景技術】
【０００２】
従来、住宅内外に固定し撮影するカメラは、特許文献１に提案されている。特許文献１に記載された技術を図５を用いて説明する。図によればカメラ本体８と取り付け部材９をボールジョイント１１で接続されている。このカメラの角度調整は、ボールジョント１１で接続され、自由に垂直、水平方向に移動、回転できるカメラ本体８を、被写体がカメラの撮影範囲に入るように移動した後、ボールジョイント１１、締め付けねじ１０を締め付けて行う。このように、従来のカメラは、取り付け部材９とカメラ本体８との間にボールジョイント１１などの締め付け機構が必要であった。また、カメラは、水平、垂直方向以外にも移動できるので、角度調整した後、ファインダーなどの撮影範囲確認手段で調整する必要があった。
【特許文献１】特開平７−１４７６４７号公報
【発明の開示】
【発明が解決しようとする課題】
【０００３】
上記従来のカメラは、取り付け部材とカメラ本体との間にボールジョイントなどの締め付け機構が必要であり、小型することは困難であった。また、カメラの角度調整は、回転方向の角度調整も必要であり、ファインダーなどの撮影確認手段なく角度調整することが困難であった。
【課題を解決するための手段】
【０００４】
上記目的を達成するために、本発明の回転体カメラは、被写体を撮影する略球形のカメラ部と、前記カメラ部を取り付ける本体と、前記本体の裏側に配置され穴部が設けられた固定板とを有し、前記カメラ部の表面に溝部を設け、前記溝部に前記固定板に設けた突起部を嵌合させてなる。
【発明の効果】
【０００５】
以上の説明から明らかなように、本発明により、カメラ角度調整の締め付け機構が不要になり、カメラは上下、左右の移動のみに限定できるために、カメラの小型化、角度調整作業の時間短縮ができ、住宅内外に固定し撮影するカメラ角度調機構として実用的にきわめて有用である。
【発明を実施するための最良の形態】
【０００６】
上記本発明の構成によれば、カメラをいれた回転体が一定の力で保持されているために、ボールジョイントなどの締め付け機構を不要にすることができ、かつ、回転体の移動を水平、垂直方向のみにすることができる。
【０００７】
以下に本発明の一実施の形態について説明する。まず、図１において、１で示すのはカメラ、２で示すのはカメラを取り付ける本体である。このカメラ１は、球体の形をしており、この球の半分が表に現れ、残りの半分は本体内に収納されている。。そのカメラ１は、本体２に開けられた、カメラ１を構成する球中心を通る断面の面積より小さい面積の円状の穴の裏側から表側に円状の穴に接触させて表に出すよう構成されている。
【０００８】
図２は、図１に示すａ−ａ’断面、図３は、図１に示すｂ−ｂ’断面を表す断面図である。カメラ１を本体２に取り付ける方法を、図２、図３を使って説明する。図において、３で示すはカメラ１を本体２の裏側から押さえる固定板である。本実施の形態において、この固定板３は、カメラ１を構成する球の中心を通る断面の半径より短い半径を有する円形の穴があいている。４で示すのはコイルばね、５はコイルばね４が通る取り付けボス、６はねじ、７は押さえ板である。
【０００９】
図２に示すように、円状の穴が開いている本体２に、裏側から球状のカメラ１を接触させる。このとき、カメラ１が本体２より表に出ずに、本体２と接触できるようにするために、本体２に開ける円状の穴の直径は、球の中心を通る断面円の直径より小さくする。このことで、本体２の裏側から、球状のカメラ１の裏側から力を加えても、カメラ１全体が本体２から出ないようにできる。
【００１０】
次に、ねじ取り付けボス５は、本体２と一体構造しており、カメラ１を押さえる固定板３には、ねじ取り付けボス５が通る穴が、図２に示すように開いている。この固定板３にある穴にねじ取り付けボス５を通して、固定板３設けた円形の穴にカメラ１がひっかかり本体２の裏側に落ちないようを押さえる。
【００１１】
次に、この固定板３が常にカメラ１を本体２の裏側から押さえ続けるために、ねじ取り付けボス５に固定板３を通したのちに、それぞれのねじ取り付けボス５にコイルばね４を通す。そして、これを押さえ板７でコイルばね４を縮めることで、固定板３でカメラ１を本体２の裏側か押さえる力が発生する。固定板３でカメラ１を本体２の裏側から本体２に押さえつける力を、押さえ板７をねじ６の締め付ける長さで調整することができる。
【００１２】
なお、押さえ板７は、ねじ取り付けボス５にねじ６で締め付けるように、穴を開けている。このとき、カメラ１、本体２の円状の穴、固定板３、押さえ板７の中心点は、カメラ球体の中心線上にくるようにすることで、押さえ板７で押さえと回転の２つの機能を実現することができる。このような、機構にすることで、球状のカメラ１を垂直、水平方向の回転は、本体２に設けた円形の穴の縁部分と固定板３に設けた円形の穴の縁分とカメラ１の表面とが接触により発生している摩擦力で保持されている。このため、ボールジョイントなどの角度調整時に、締め付け構造が不要になり、小型化が実現できる。
【００１３】
さらに、図４に示すように、固定板３のに設けた穴部の縁部には鉛直方向を軸として回転可能に取り付けられた突起部を図の様に上下２箇所設けて回転軸とし、カメラ１の球面上には、その回転軸をスライドさせる溝を上下に彫り、その溝と押さえ板３の回転軸を嵌合わす。
【００１４】
カメラ１は、嵌め合わした回転軸を溝に沿って上下に回転し、上下に回転した位置で回転軸を中心に左右に回転できる。上下の回転限界は、このスライドの長さで決めることができる、左右の回転の限界は、球の左右方向に２箇所ストッパーを設けることで実現することができる。溝は小判型や長方形形状に掘ることが好ましい。  また、回転軸は穴部の縁部に設ける以外にも、固定板の側面に垂直な棒状部を儲け、この棒状部の先端に棒状部とは直角に回転軸を設け、溝に嵌合させてもよい。
【００１５】
また、この摩擦力は、押さえ板７を締め付けるねじ６の締め付ける長さで調整でき、カメラ１の押さえと回転する力を調整することができる。このことで、各部材のバラツキ、角度調整力の調整をすることができる。さらに、固定板３をアセタール樹脂製にすることで、滑らかにカメラ１を回転して角度調整をすることができる。
【産業上の利用可能性】
【００１６】
本発明は、カメラの角度調整機構を有する回転体カメラに関するものであるため、例えば住宅内外に固定し撮影するカメラに用いれば、セキュリティーシステムによるサービス性を向上させることができる。
【図面の簡単な説明】
【００１７】
【図１】本発明の一実施の形態に係る回転体カメラの構成を示す外形図
【図２】本発明の一実施の形態に係る回転体カメラの構成を示す断面図
【図３】本発明の一実施の形態に係る回転体カメラの構成を示す断面図
【図４】本発明の一実施の形態に係る回転体カメラの回転軸の説明図
【図５】従来のカメラの外形図
【符号の説明】
【００１８】
１    カメラ
２    本体
３    固定板
４    コイルばね
５    ねじ取り付けボス
６    ねじ
７    押さえ板
８    カメラ本体
９    取り付け部材
１０  締め付けねじ
１１  ボールジョイント
【図１】
2005217717.tif 000003
【図２】
2005217717.tif 000004
【図３】
2005217717.tif 000005
【図４】
2005217717.tif 000006
【図５】
2005217717.tif 000007